(57)【要約】【課題】回転伝達精度を高めるとともに軸の連結を容易にすることができる画像形成装置を提供すること。【解決手段】連結具４０は、被動軸３３に螺子止め固定され被動軸３３と一体的に回転する回転部材４１と、回転部材の外周方向に回転しながら原動軸３４の軸心と平行に移動する移動部材４２とを有する。回転部材４２の外周には、傾斜面４１ｂが形成されている。移動部材４２がｂ方向に移動すると、移動部材４２が固定部材の傾斜面４１ｂに圧力を加えて、回転部材４１の平行面４１ａは、移動部材４２からの圧力によって原動軸３４の外周面３４ｂに当接し原動軸３４を把持する。【選択図】      図３
2004279641.tif 000002
【特許請求の範囲】
【請求項１】
第１の軸と第２の軸とを連結する連結具を備え、
前記第１の軸および前記第２の軸の一方は、原動軸であり、他方は、静電潜像が形成される像担持体に設けられた被動軸であって、
前記連結具は、前記第２の軸の軸心に平行な平行面が形成され前記第１の軸と一体的に回転する回転部材と、前記回転部材の外周面上を前記第２の軸の軸心と平行に移動する移動部材とを有し、
前記移動部材は、前記回転部材に対する圧力を変化させながら前記第２の軸の軸心と平行に移動し、
前記回転部材の平行面は、前記移動部材からの圧力によって前記第２の軸の外周面に当接し前記第２の軸を把持することを特徴とする画像形成装置。
【請求項２】
前記移動部材は、前記回転部材に螺合し、前記回転部材の外周方向に回転しながら前記第２の軸の軸心と平行に移動することを特徴とする請求項１に記載の画像形成装置。
【請求項３】
前記移動部材は、前記原動軸の正回転方向と同一の方向に回転しながら前記回転部材に対する圧力を増加するように前記回転部材と螺合することを特徴とする請求項２に記載の画像形成装置。
【請求項４】
前記第２の軸の外周には、突出する突出部が形成され、
前記移動部材には、前記突出部と嵌め合う溝部が形成されていることを特徴とする請求項２または請求項３に記載の画像形成装置。
【発明の詳細な説明】
【０００１】
【発明の属する技術分野】
本発明は、画像形成装置に関するものであり、より詳しくは、回転伝達精度を高めるとともに軸の連結を容易にすることができる画像形成装置に関するものである。
【０００２】
【従来の技術】
従来の画像形成装置として、モーターのカップリング手段を画像形成装置本体にビス止めすることによって、モーターに設けられたカップリング手段の回転中心と感光体ドラムの回転軸の回転中心とが偏心することを回避し、モーターの回転を感光体ドラムに伝達する際の回転伝達精度を高めるタンデム型フルカラー画像形成装置（特許文献１）。
【０００３】
【特許文献１】
特開２００２‐３５７９８６号公報（段落［００１２］ないし［００１５］、図９）
【０００４】
【発明が解決しようとする課題】
しかしながら、上記従来のタンデム型フルカラー画像形成装置においては、モーターのカップリング手段を画像形成装置本体にビス止めする必要があるので、モーターと感光体ドラムとを容易に連結することができないという問題があった。
【０００５】
そこで、本発明は、回転伝達精度を高めるとともに軸の連結を容易にすることができる画像形成装置を提供するものである。
【０００６】
【課題を解決するための手段】
上記課題を解決するため、本発明に係る画像形成装置は、第１の軸と第２の軸とを連結する連結具を備え、前記第１の軸および前記第２の軸の一方は、原動軸であり、他方は、静電潜像が形成される像担持体に設けられた被動軸であって、前記連結具は、前記第２の軸の軸心に平行な平行面が形成され前記第１の軸と一体的に回転する回転部材と、前記回転部材の外周面上を前記第２の軸の軸心と平行に移動する移動部材とを有し、前記移動部材は、前記回転部材に対する圧力を変化させながら前記第２の軸の軸心と平行に移動し、前記回転部材の平行面は、前記移動部材からの圧力によって前記第２の軸の外周面に当接し前記第２の軸を把持することを特徴とする構成を有している。
【０００７】
この構成によれば、第１の軸と一体的に回転する回転部材に形成された平行面が第２の軸を把持するので、第１の軸および第２の軸は互いの軸心が一致した状態を保って連結され、回転伝達精度を高めることができる。また、移動部材を第２の軸の軸心と平行に移動させれば、第１の軸および第２の軸は互いの軸心が一致した状態を保って連結されるので、第１の軸と第２の軸との連結を容易にすることができる。
【０００８】
本発明に係る画像形成装置においては、前記回転部材に螺合し、前記回転部材の外周方向に回転しながら前記第２の軸の軸心と平行に移動することを特徴とする構成を有している。
【０００９】
この構成によれば、移動部材が回転部材に螺合しているので、第１の軸および第２の軸の連結が解除される方向に移動部材が移動することが少なくなり、第１の軸と第２の軸との連結を確実にすることができる。
【００１０】
本発明に係る画像形成装置においては、前記移動部材は、前記原動軸の正回転方向と同一の方向に回転しながら前記回転部材に対する圧力を増加するように前記回転部材と螺合することを特徴とする構成を有している。ここで、「螺合」とは、螺子によって係合することをいう。
【００１１】
この構成によれば、回転部材に対する圧力を増加する移動部材の回転方向と原動軸の正回転方向とが一致しているので、原動軸が正回転していれば、第１の軸および第２の軸の連結が解除される方向に移動部材が回転することがなくなり、第１の軸と第２の軸との連結をより確実にすることができる。
【００１２】
本発明に係る画像形成装置においては、前記第２の軸の外周には、突出する突出部が形成され、前記移動部材には、前記突出部と嵌め合う溝部が形成されていることを特徴とする構成を有している。
【００１３】
この構成によれば、第２の軸の突出部が移動部材の溝部に嵌め込まれるので、第１の軸および第２の軸の連結が解除される方向に移動部材が回転することがなくなり、第１の軸と第２の軸との連結をより確実にすることができる。
【００１４】
【発明の実施の形態】
図１ないし図３を参照して本発明に係る画像形成装置の好ましい実施の形態を説明する。図１に示すように、画像形成システム１は、シートを搬送する搬送装置１０と、シートを給紙する給紙装置２０と、搬送装置１０によって搬送されたシート上の画像を読み込み、読み込んだ画像を給紙装置２０によって給紙されたシートに形成する画像形成装置３０とを備える。
【００１５】
画像形成装置２０は、搬送装置１０によって搬送されたシート上の画像を光線として出力する露光部３１と、露光部３１からの光線によって静電画像が形成される複数の感光体ドラム３２とを有し、各感光体ドラム３２上の静電画像にブラックトナー、シアントナー、マゼンダトナーおよびイエロトナーの何れかが乗せられ、各感光体ドラム３２上にトナー画像が形成される。各トナー画像は、給送装置１０によって給送されたシートに重ねて転写される。ここで、感光体ドラム３２は、静電潜像が形成される像担持体としての機能を有している。
【００１６】
図２に示すように、感光体ドラム３２には被動軸３３が設けられており、被動軸３３は、図示しないモータに設けられた原動軸３４に連結具４０によって連結されている。本実施の形態では、被動軸３３は第１の軸であり、原動軸３４は第２の軸であるとして説明しているが、被動軸３３が第２の軸であり、原動軸３４が第１の軸である場合を妨げるものではない。
【００１７】
図２に示すように、連結具４０は、被動軸３３に螺子止め固定され被動軸３３と一体的に回転する回転部材４１と、回転部材の外周方向に回転しながら原動軸３４の軸心と平行に移動する移動部材４２とを有する。
【００１８】
図３に示すように、回転部材４２には、原動軸３４の軸心３４ａに平行な平行面４１ａが形成され、各平行面４１ａは、原動軸３４の軸心３４ａに関して対称の関係にある。
【００１９】
また、回転部材４２の外周には、傾斜面４１ｂが形成されている。移動部材４２がｂ方向に移動すると、移動部材４２が固定部材の傾斜面４１ｂに圧力を加えて、回転部材４１の平行面４１ａは、移動部材４２からの圧力によって原動軸３４の外周面３４ｂに当接し原動軸３４を把持する。
【００２０】
また、移動部材４２が回転部材４１の外周上をａ方向に回転するとｂ方向に移動し、さらに、原動軸３４の正回転方向と移動部材４２の回転方向ａとが一致するように、回転部材４１および移動部材４２はねじ切り成形されて、回転部材４１には、螺子部４１ｃが形成され、移動部材４２には、回転部材４１の螺子部４１ｃに係合する対螺子部４２ａが形成されている。ここで、原動軸３４の正回転方向とは、露光部３１によって感光体ドラム３２を露光する際に原動軸３４が回転する方向である。
【００２１】
また、原動軸３４の外周には、突出する突出部３４ｃが形成されている。移動部材４２には、突出部３４ｃと嵌め合う溝部４２ｂが形成されている。移動部材４２が回転しようとすると、原動軸３４の突出部３４ｃが移動部材４２の溝部４２ｂに当接し、移動部材４２の回転が制限される。
【００２２】
なお、本実施の形態では、連結具４０の構成が詳細に示されているが、要するに、連結具４０はいわゆるコレットチャック機構からなるものであれば足りる。
【００２３】
以上本実施の形態によれば、被動軸３３と一体的に回転する回転部材４１に形成された平行面４１ａが原動軸３４を把持するので、被動軸３３および原動軸３４は互いの軸心３３ａ、３４ａが一致した状態を保って連結され、回転伝達精度を高めることができる。特に、１枚のシートに対して複数色のトナーを重ねて転写するタンデム形式画像形成装置では、回転伝達精度を高めることによって、トナーが正確に重ねられるので、画像品質を向上させることができる。
【００２４】
また、本実施の形態によれば、移動部材４２を原動軸３４の軸心３４ａと平行に移動させれば、被動軸３３および原動軸３４は互いの軸心３３ａ、３４ａが一致した状態を保って連結されるので、被動軸３３と原動軸３４との連結を容易にすることができる。
【００２５】
また、本実施の形態によれば、回転部材４１の螺子部４１ｃと移動部材４２の対螺子部４２ａに係合しているので、被動軸３３および原動軸３４の連結が解除されるｃ方向に移動部材４２が移動することが少なくなり、被動軸３３と原動軸３４との連結を確実にすることができる。
【００２６】
また、本実施の形態によれば、原動軸３４の正回転方向が移動部材４２の回転方向ａと一致しているので、原動軸３４が正回転している、すなわち、感光体ドラム３２が露光されている間、被動軸３３および原動軸３４の連結が解除されるｃ方向に移動部材４２が回転することがなくなり、被動軸３３と原動軸３４との連結をより確実にすることができる。
【００２７】
また、本実施の形態によれば、原動軸３４の突出部３４ｃが移動部材４２の溝部４２ｂに嵌め込まれるので、被動軸３３および原動軸３４の連結が解除されるｃ方向に移動部材４２が回転することがなくなり、被動軸３３と原動軸３４との連結をより確実にすることができる。
【００２８】
【発明の効果】
本発明によれば、第１の軸と一体的に回転する回転部材に形成された平行面が第２の軸を把持するので、第１の軸および第２の軸は互いの軸心が一致した状態を保って連結され、回転伝達精度を高めることができる。また、移動部材を第２の軸の軸心と平行に移動させれば、第１の軸および第２の軸は互いの軸心が一致した状態を保って連結されるので、第１の軸と第２の軸との連結を容易にすることができる。
【図面の簡単な説明】
【図１】本発明の一実施の形態である画像形成装置が設けられた画像形成システムの構成を示す正面図
【図２】連結具の構成を示す斜視図
【図３】連結具の構成を示す断面図
【符号の説明】
３２    感光体ドラム（像担持体）
３３    被動軸（第１の軸）
３３ａ  軸心
３４    原動軸（第２の軸）
３４ａ  軸心
３４ｂ  外周面
３４ｃ  突出部
４０    連結具
４１    回転部材
４１ａ  平行面
４１ｃ  螺子部
４２    移動部材
４２ａ  対螺子部
４２ｂ  溝部
【図１】
2004279641.tif 000003
【図２】
2004279641.tif 000004
【図３】
2004279641.tif 000005